(57)【要約】【課題】使用時の煩わしさを解消する釣り用グローブ２０の提供。【解決手段】このグローブ２０は、手に着用される本体２４と、この本体２４の表面に位置しており釣り用小物を収容しうる収容部２６と、この収容部２６を覆うカバー２８と、この本体２４とカバー２８とを連結するヒンジとを備えている。このカバー２８は、このヒンジを軸として開閉するように構成されている。このグローブ２０では、このカバー２８が開かれたとき、このカバー２８の自重により、このカバー２８が開いている状態が維持されうる。好ましくは、このグローブ２０では、上記ヒンジは、帯体３０である。この帯体３０の変形によって、上記カバー２８の開閉は達成される。好ましくは、このグローブ２０では、上記帯体３０は、布、天然皮革又は人造皮革からなる。好ましくは、このグローブ２０では、上記収容部２６はマグネットである。【選択図】図３
2008000004.tif 000002
【特許請求の範囲】
【請求項１】
手に着用される本体と、この本体の表面に位置しており釣り用小物を収容しうる収容部と、この収容部を覆うカバーと、この本体とカバーとを連結するヒンジとを備えており、
このカバーが、このヒンジを軸として開閉するように構成されており、
このカバーが開かれたとき、このカバーの自重により、このカバーが開いている状態が維持されうる釣り用グローブ。
【請求項２】
上記ヒンジが、帯体であり、
この帯体の変形によって、上記カバーの開閉が達成される請求項１に記載のグローブ
【請求項３】
上記帯体が、布、天然皮革又は人造皮革からなる請求項２に記載のグローブ。
【請求項４】
上記収容部が、マグネットである請求項１から３のいずれかに記載のグローブ。
【発明の詳細な説明】
【技術分野】
【０００１】
本発明は、魚釣りを行う釣り人の手に着用されるグローブに関する。
【背景技術】
【０００２】
釣り人は、潮の流れ及び風の方向に基づいて魚の位置を分析しつつ、釣りを行う。潮の流れ及び風の方向は、一定でない。釣り人は、釣り場の状況が変わるたびに釣り針を交換する。釣り人はまた、魚の活性に応じて釣り針を交換する。この釣り針の交換では、まずラインから釣り針が外される。次に釣り人はタックルケースから他の釣り針を取り出し、この釣り針をラインに結ぶ。釣り針の交換には、煩わしさが伴う。
【０００３】
図５は、従来の釣り用グローブ２が示された正面図である。図６は、図５のグローブ２のカバーが開かれている状態が示された部分拡大断面図である。このグローブ２は、本体４と、収容部６と、カバー８とを備えている。この図６には、このグローブ２の背側が釣り針１０とともに示されている。
【０００４】
本体４は、釣り人の手に着用される。収容部６は、この本体４の表面にあり釣り針１０を収容する。この収容部６はシート状のマグネットであり、その磁力によりこの釣り針１０を固定する。カバー８は、薄板状の部材からなりこの収容部６を覆う。このカバー８は、ウレタンゴムからなるシートである。このカバー８の小指側の縁は、本体４を構成する第一基材１２と第二基材１４との間に位置しており、糸１６でこの第一基材１２と第二基材１４とに縫いつけられている。このカバー８は、直接本体４に固定されている。
【０００５】
図６に示されているように、このカバー８の親指側の先端１８が釣り人の手（図示されず）で持ち上げられると、このカバー８は開く。釣り人は、このカバー８を開けて収容部６にある釣り針１０を取り出す。このグローブ２は、タックルケースとしての機能を有する。このようなグローブ２は、株式会社シマノが発行する「2005 Fishing Tackle Catalogue 」に開示されている。
【非特許文献１】「2005 Fishing Tackle Catalogue」，株式会社シマノ，2005年，p.185
【発明の開示】
【発明が解決しようとする課題】
【０００６】
前述のグローブ２では、カバー８が高弾性であるので、このカバー８が開けられてもその復元力でこのカバー８は閉じてしまう。従って、釣り人は、この収容部６にある釣り針１０を取り出すとき、小指又は薬指でこのカバー８を押圧しつつ、他の指で釣り針１０を取り出す。釣り人は、このカバー８が開けられた状態を保持しなければならない。釣り人は、このようなグローブ２の使用を煩わしく感じてしまう。
【０００７】
本発明の目的は、使用時の煩わしさを解消する釣り用グローブの提供にある。
【課題を解決するための手段】
【０００８】
本発明に係る釣り用グローブは、手に着用される本体と、この本体の表面に位置しており釣り用小物を収容しうる収容部と、この収容部を覆うカバーと、この本体とカバーとを連結するヒンジとを備えている。このカバーは、このヒンジを軸として開閉するように構成されている。このグローブでは、このカバーが開かれたとき、このカバーの自重により、このカバーが開いている状態が維持されうる。
【０００９】
好ましくは、このグローブでは、上記ヒンジは、帯体である。この帯体の変形によって、上記カバーの開閉は達成される。好ましくは、このグローブでは、上記帯体は、布、天然皮革又は人造皮革からなる。好ましくは、このグローブでは、上記収容部はマグネットである。
【発明の効果】
【００１０】
この釣り用グローブでは、カバーが開かれたとき、このカバーの自重により、このカバーが開いている状態が維持されうる。このため、釣り人がこのカバーが開いている状態を保持する必要はない。釣り人は、収容部に収容されている釣り針を、煩わしさを感じることなく、この収容部から取り出すことができる。釣り人は、このグローブを使用することにより釣りに集中できる。このグローブは、使用時の煩わしさを解消する。
【発明を実施するための最良の形態】
【００１１】
以下、適宜図面が参照されつつ、好ましい実施形態に基づいて本発明が詳細に説明される。
【００１２】
図１は、本発明の一実施形態に係る釣り用グローブ２０が示された正面図である。この図１の上側は指先側であり、この図１の下側は手首側である。この図１の右側は小指側であり、この図１の左側は親指側である。この紙面の上側は背側であり、この紙面の下側は掌側である。図２は、図１のII−II線に沿った部分拡大断面図である。この図２には、グローブ２０とともに釣り針２２が示されている。
【００１３】
このグローブ２０は、本体２４と、収容部２６と、カバー２８と、ヒンジとしての帯体３０と、固定手段としての面ファスナー３２とを備えている。このグローブ２０は、右手用である。図示されていないが、左手用のグローブは、この右手用のグローブ２０の形状が左右反転された形状を有する。この図１及び図２では、このカバー２８は閉じられている。
【００１４】
本体２４は、釣り人の手に着用される。この本体２４は、天然皮革からなる。この本体２４は、手の甲の部分が入れられる甲部３４と、親指が入れられる第一の袋３６ａと、人差し指が入れられる第二の袋３６ｂと、中指が入れられる第三の袋３６ｃと、薬指が入れられる第四の袋３６ｄと、小指が入れられる第五の袋３６ｅとからなる。この甲部３４は、手首側に位置する開口部３８と、掌側にあり第一の袋３６ａが連接する穴（図示されず。）と、指先側に位置しており親指側から小指側に向かって並ぶ４の穴（図示されず。）とを備えている。これら４の穴には、親指側から順に、第二の袋３６ｂ、第三の袋３６ｃ、第四の袋３６ｄ及び第五の袋３６ｅが連接している。釣り人は、この開口部３８から手を挿入して、それぞれの袋３６に指を入れる。このグローブ２０では、全ての袋３６の先端は開口している。このグローブ２０は、指先が裸出するように構成されている。なお、このグローブ２０が、薬指及び小指の指先は裸出されることなく、親指、人差し指及び中指の指先が裸出されるように構成されてもよい。この本体２４は、布で構成されてもよい。この本体２４が、人造皮革から構成されてもよい。
【００１５】
このグローブ２０では、甲部３４の背側は手首側から指先に向かって拡がる第一基材４０と、この第一基材４０の指先側の縁から指先に向かってさらに延びる第二基材４２とからなる。この第一基材４０と第二基材４２とは、糸４４で縫いつけられている。
【００１６】
収容部２６は、第一基材４０の甲側に位置している。換言すれば、この収容部２６は本体２４の表面に位置している。この収容部２６は、この第一基材４０に糸４４で縫いつけられている。この収容部２６は、釣り用小物としての釣り針２２を収容する。このグローブ２０では、この収容部２６はフェライトのような磁性粉末を含んだゴム状のシートである。換言すれば、この収容部２６はマグネットである。
【００１７】
カバー２８は、収容部２６を覆う。このカバー２８は、小指側から親指側に向かって先細りであるシート状である。このカバー２８の先端４６は、帯体３０の親指側に位置する。図２に示されているように、このカバー２８は甲側に膨らむ凸部４８を備えている。このグローブ２０では、このカバー２８は合成樹脂を基材ポリマーとした成形体である。この合成樹脂としては、ポリウレタン、ポリオレフィン、ポリ塩化ビニル、ナイロン及びポリエステルが例示される。ポリオレフィンの具体例としては、ポリエチレン及びポリプロピレンが挙げられる。このグローブ２０では、このカバー２８の基材ポリマーはポリウレタンである。
【００１８】
帯体３０は、本体２４とカバー２８との間に位置する。この帯体３０の一方の端５０ａは、第一基材４０と第二基材４２との間に挟まれており、糸４４でこの第一基材４０と第二基材４２とに縫いつけられている。この帯体３０は、この本体２４に固定されている。このグローブ２０では、この帯体３０の他方の端５０ｂに、このカバー２８が糸４４で縫いつけられている。このカバー２８は、この帯体３０に固定されている。換言すれば、この帯体３０はこの本体２４とカバー２８とを連結している。なお、このグローブ２０のヒンジが、この本体２４に設けられた筒と、このカバー２８に設けられた筒と、これらの筒を挿通することによりこの本体２４とこのカバー２８とを連結するピンとで構成されてもよい。
【００１９】
面ファスナー３２は、フックテープ５２とループテープ５４とからなる。図２に示されているように、このフックテープ５２はカバー２８の先端４６に位置しており、このカバー２８の裏面に取り付けられている。このループテープ５４は、第一基材４０の表面に取り付けられている。このループテープ５４は、このフックテープ５２と重ね合わされる位置に配置されている。なお、固定手段として、ボールサイドとソケットサイドとからなるスナップが用いられてもよい。
【００２０】
図３は、図１のグローブ２０のカバー２８が開かれている状態が示された正面図である。図４は、図３のIV−IV線に沿った部分拡大断面図である。この図３に示されているように、収容部２６に、釣り針２２が収容されている。
【００２１】
カバー２８が開いたグローブ２０では、収容部２６は露出する。このカバー２８の凸部４８は、掌側に膨らんでいる。このカバー２８の先端４６は、帯体３０の小指側に位置している。この帯体３０は撓んでおり、この帯体３０の他方の端５０ｂはこの帯体３０の一方の端５０ａの直上に位置している。この帯体３０の上方に、このカバー２８は位置している。このカバー２８が開いたグローブ２０では、このカバー２８の自重はこの帯体３０に作用する。このグローブ２０では、この帯体３０は軟質である。従って、この帯体３０のこの撓みに対する復元力は、このカバー２８の自重がこの帯体３０に作用する力よりも小さい。このカバー２８が開いたグローブ２０では、釣り人が押さえなくてもこの帯体３０の形状は復元しない。このグローブ２０では、このカバー２８の自重によりこのカバー２８が開いている状態が維持されうる。
【００２２】
釣り人は、潮の流れ、風の方向及び魚の活性に基づいて釣り場の状況を分析しつつ、釣りを行う。釣り人は、釣り場の状況変化を察知すると、仕掛けを調整する。釣り人はまず、リールを巻いて仕掛けを引き上げて、この仕掛けを構成する釣り針２２をラインから外す。次に、釣り人はグローブ２０のカバー２８を開ける。このカバー２８が開かれるとき、このカバー２８と本体２４との間にある帯体３０は変形する。前述したように、このグローブ２０では、このカバー２８が開いている状態を維持するために、手で押さえる必要はない。このグローブ２０では、釣り人は片手を自由に使える。
【００２３】
次に、釣り人はラインから外した釣り針２２を収容部２６に収容して、サイズの異なる釣り針２２をこの収容部２６から取り出す。このグローブ２０では、この収容部２６が露出しているので、釣り針２２の収容及び取り出しは容易である。次に、釣り人はカバー２８を閉じる。このカバー２８が閉じられるときにおいても、帯体３０は変形する。このカバー２８が閉じられると、このカバー２８の先端４６にあるフックテープ５２と本体２４の表面にあるループテープ５４とが接触する。この接触により、このカバー２８が閉じられた状態が維持されうる。次に、釣り人はこの収容部２６から取り出した釣り針２２をラインに付ける。釣り人は、このようにして仕掛けを調整した後、この釣り針２２に餌を付けて再び釣り場に仕掛けを投入する。
【００２４】
このグローブ２０では、収容部２６はマグネットであるので、この釣り針２２はその磁力によりこの収容部２６に容易に固定される。図３に示されているように、この収容部２６は、間仕切り５６で２つに分割されている。このグローブ２０では、釣り針２２ａ、２２ｂが種類毎及びサイズ毎に整理されて収容されうる。この収容部２６の間仕切り５６による分割は、このグローブ２０の仕様、釣り人のニーズ等が考慮されて適宜決められる。この収容部２６が、釣り針２２が刺し込まれうる部材で構成されてもよい。なお、この収容部２６には、釣り針２２以外の釣り用小物も収容されうる。
【００２５】
前述したように、このグローブ２０では、カバー２８が閉じられているとき、このカバー２８は収容部２６を覆う。このカバー２８は、不意な接触による収容部２６に収容されている釣り針２２の脱落及び損傷を防止する。このカバー２８は、釣り人の、この釣り針２２との接触による負傷を防止する。
【００２６】
このグローブ２０では、帯体３０の変形によってカバー２８の開閉が達成されうる。換言すれば、このカバー２８はこの帯体３０を軸として開閉するように構成されている。このグローブ２０では、カバー２８の開閉は容易である。
【００２７】
前述したように、このグローブ２０では、釣り人は片手を自由に使える。釣り人は、煩わしさを感じることなく、釣り針２２を交換できる。釣り人は、このグローブ２０を使用することにより釣りに集中できる。このグローブ２０は、使用時の煩わしさを解消する。
【００２８】
このグローブ２０を着用することにより、釣り人は仕掛けの調整作業が迅速にできる。このため、潮の流れ、風の方向及び魚の活性から釣り人が把握した釣り場の状況と、釣り人が仕掛けを調整し再び仕掛けを投入した時の釣り場の状況とのズレが小さく抑えられる。
【００２９】
このグローブ２０では、収容部２６に釣り針２２が収容されるので、釣り人は釣り針２２を入れたタックルケースを着用している上着のポケット等に入れて携行する必要もない。
【００３０】
このグローブ２０では、帯体３０は天然皮革からなる。このグローブ２０では、この帯体３０と本体２４とを構成する素材は同一である。この帯体３０が、本体２４と異なる素材から構成されてもよい。この帯体３０が、布で構成されてもよい。この帯体３０が、人造皮革で構成されてもよい。このカバー２８の小指側の厚みが薄くされ、この厚みの薄い部分が第一基材４０と第二基材４２との間に挟まれて糸４４で縫いつけられてもよい。この場合、この厚みの薄い部分がこのグローブ２０のヒンジとして機能する。このヒンジとして機能する部分の厚みは、このカバー２８の自重で変形しうる程度の厚みとされる。これにより、グローブ２０を構成する部品点数が低減されうる。
【産業上の利用可能性】
【００３１】
本発明に係る釣り用グローブは、種々の釣りに適用されうる。
【図面の簡単な説明】
【００３２】
【図１】図１は、本発明の一実施形態に係る釣り用グローブが示された正面図である。
【図２】図２は、図１のII−II線に沿った部分拡大断面図である。
【図３】図３は、図１のグローブのカバーが開かれている状態が示された正面図である。
【図４】図４は、図３のIV−IV線に沿った部分拡大断面図である。
【図５】図５は、従来の釣り用グローブが示された正面図である。
【図６】図６は、図５のグローブのカバーが開かれている状態が示された部分拡大断面図である。
【符号の説明】
【００３３】
２、２０・・・グローブ
４、２４・・・本体
６、２６・・・収容部
８、２８・・・カバー
１０、２２、２２ａ、２２ｂ・・・釣り針
１２、４０・・・第一基材
１４、４２・・・第二基材
１６、４４・・・糸
１８、４６・・・先端
３０・・・帯体
３２・・・面ファスナー
３４・・・甲部
３６、３６ａ、３６ｂ、３６ｃ、３６ｄ、３６ｅ・・・袋
３８・・・開口部
４８・・・凸部
５０ａ、５０ｂ・・・端
５２・・・フックテープ
５４・・・ループテープ
５６・・・間仕切り
【図１】
2008000004.tif 000003
【図２】
2008000004.tif 000004
【図３】
2008000004.tif 000005
【図４】
2008000004.tif 000006
【図５】
2008000004.tif 000007
【図６】
2008000004.tif 000008